(57)【要約】【課題】携帯情報端末を用いて医用画像撮影における撮影オーダー情報の追加を効率的に行うことができるようにする。【解決手段】本発明に係る医用画像撮影システム１００によれば、ＰＤＡ４は、入力部４２から撮影オーダー情報の追加の指示があると、読取部４４により医師のＩＤカードのバーコードを読み取って認証を行った後、表示部４３に撮影オーダー情報の追加画面を表示する。追加する撮影オーダー情報が入力されると、ＰＤＡ４は、撮影オーダー情報を追加して更新し、制御装置１に送信する。制御装置１は、撮影オーダー情報ファイル１７１に受信した撮影オーダー情報を追加して更新するとともに、受信した撮影オーダー情報を情報管理装置２に転送する。情報管理装置２は、受信した撮影オーダー情報を追加して撮影オーダー情報ＤＢを更新する。【選択図】  図１
2004152065.tif 000002
【特許請求の範囲】
【請求項１】
撮影オーダ情報を読出し可能な状態で保持し、読出し命令に応じて当該撮影オーダ情報を外部に送信可能な制御装置と、この制御装置に通信ネットワークを介して接続可能な携帯情報端末と、を備え、
前記携帯情報端末は、前記撮影オーダー情報を取得して記憶部に記憶し、許可された医師識別情報が入力された際に、前記撮影オーダー情報を追加入力するための追加入力画面を表示し、前記追加入力画面から入力された撮影オーダ情報を前記記憶部の撮影オーダー情報に追加するとともに前記通信ネットワークを介して前記制御装置に送信することを特徴とする医用画像撮影システム。
【請求項２】
撮影予約入力に基づいて撮影オーダー情報を生成して保存する情報管理装置を備え、前記制御装置は前記通信ネットワークを介して前記情報管理装置から前記撮影オーダー情報を読み出すように構成したことを特徴とする請求項１に記載の医用画像撮影システム。
【請求項３】
前記制御装置は、前記携帯情報端末から送信された追加の撮影オーダー情報を受信して、前記保持された撮影オーダー情報に対して追加するとともに前記通信ネットワークを介して前記情報管理装置に送信し、
前記情報管理装置は、前記制御装置から送信された追加の撮影オーダー情報を受信して、前記保存されている撮影オーダー情報に追加することを特徴とする請求項２に記載の医用画像撮影システム。
【請求項４】
撮影予約入力に基づいて撮影オーダ情報を生成する情報管理装置を備え、前記携帯情報端末は、前記通信ネットワークを介して前記情報管理装置からも前記撮影オーダ情報を読出し可能に構成したことを特徴とする請求項１に記載の医用画像撮影システム。
【請求項５】
前記撮影オーダー情報に基づきカセッテを用いてＸ線撮影を行う移動可能なＸ線撮影装置を備え、
前記制御装置は、前記撮影オーダー情報の中から、カセッテを用いる撮影のオーダー情報を抽出する抽出手段を備え、この抽出された撮影オーダー情報を携帯情報端末に送信することを特徴とする請求項１〜４の何れか一項に記載の医用画像撮影システム。
【請求項６】
撮影オーダ情報を読出し可能な状態で保持し、読出し命令に応じて当該撮影オーダ情報を外部に送信可能な制御装置と通信ネットワークを介して接続可能な携帯情報端末であって、
前記制御装置から撮影オーダー情報を受信する受信部と、
前記受信された撮影オーダー情報を記憶する記憶部と、
医師識別情報を入力するための入力部と、
許可された医師識別情報が入力された際に、前記撮影オーダー情報を追加入力するための追加入力画面を表示する表示部と、
前記追加入力画面から入力された撮影オーダ情報を前記記憶部の撮影オーダー情報に追加する撮影オーダー情報追加処理部と、
前記追加入力画面から入力された撮影オーダー情報を前記制御装置に送信する送信部と、
を備えたことを特徴とする携帯情報端末。
【発明の詳細な説明】
【０００１】
【発明の属する技術分野】
本発明は、Ｘ線等の放射線を用いて医用画像の撮影を行う医用画像撮影システム、医用画像撮影システムで用いる携帯情報端末に関する。
【０００２】
【従来の技術】
近年、ＰＤＡ（Ｐｅｒｓｏｎａｌ  Ｄｉｇｉｔａｌ  Ａｓｓｉｓｔａｎｃｅ）等の携帯型情報端末を用いて用いてユーザが移動時でも情報の入出力を容易に行えるようになっている。ＰＤＡを利用した技術としては、例えば、ユーザのクレジットカード情報等の金融情報ならびに個人情報をＰＤＡのメモリに格納し、ユーザ検証を行った上で挿入されたＰＯＳ取引、ＡＴＭ取引、消費者取引に利用できるスマートカードに、ＰＤＡのメモリに格納されている情報を書き込むことのできる技術が開示されている。また、その応用例として、医師のＰＤＡに記憶されている医療情報をスマートメディアに書き込み、患者検証に基づいて患者のＰＤＡからスマートメディアの医療情報にアクセスできる技術が記載されている（例えば、特許文献１参照）。
【０００３】
【特許文献１】
特表２００１−５１２８７６号公報
【０００４】
【発明が解決しようとする課題】
ところで、医療の分野においては、患者に対する病気診断のために、Ｘ線等の放射線を利用して医用画像撮影を行い、医用画像をデジタル画像として取得する医用画像撮影システムが利用されている。
【０００５】
医用画像撮影システムにおいては、制御装置がネットワークを介して撮影予約入力を行うための情報管理装置と接続されており、制御装置は情報管理装置から所定期間分の撮影オーダ情報を受信して管理している。そして、制御装置は、撮影オーダー情報に基づいて医用画像読取装置を制御して、Ｘ線撮影により輝尽性蛍光体プレートに蓄積された被検体の放射線画像情報の読み取りを行い、読み取られた医用画像を管理する。
【０００６】
一般的に、病棟や救急室、手術室等、放射線科の撮影室以外において回診によるＸ線撮影を行う際には、放射線技師は、患者情報や撮影条件からなる撮影オーダー情報が印刷されたオーダー用紙に基づいて、手作業で撮影の管理を行っている。具体的には、回診による撮影に際して、放射線技師は、回診用Ｘ線装置と、輝尽性蛍光体プレートを内蔵し、放射線画像情報を蓄積するためのカセッテ及びオーダー用紙を撮影場所に持ち込む。撮影に際して、放射線技師は、オーダー用紙により撮影オーダーの入っている患者及び撮影部位等を確認し、未撮影のカセッテにより撮影を行う。
【０００７】
しかしながら、回診先において医師から撮影する部位等の追加を求められることがある。Ｘ線撮影は、医療放射線技師法第二十六条に「診療放射線技師は、医師又は歯科医師の具体的な指示を受けなければ、放射線を人体に対して照射してはならない。」とあるように、医師又は歯科医師の指示が必要となる。医用画像撮影システムにおけるＸ線撮影は、上記法律に基づき医師の指示により入力された撮影オーダー情報に従って行われるものであり、原則的に撮影オーダー情報がなければ撮影を行うことはできない。そこで、従来は、撮影の追加の際には回診先から制御装置の設置された場所まで移動して撮影オーダー情報を追加入力してから回診先に戻り撮影を行うという煩雑な手順を踏まなければならならず、非常に時間がかかっていた。
【０００８】
本発明の課題は、携帯情報端末を用いて医用画像撮影における撮影オーダー情報の追加を効率的に行うことができるようにすることである。
【０００９】
【課題を解決するための手段】
上記課題を解決するため、請求項１に記載の発明は、
撮影オーダ情報を読出し可能な状態で保持し、読出し命令に応じて当該撮影オーダ情報を外部に送信可能な制御装置と、この制御装置に通信ネットワークを介して接続可能な携帯情報端末と、を備え、
前記携帯情報端末は、前記撮影オーダー情報を取得して記憶部に記憶し、許可された医師識別情報が入力された際に、前記撮影オーダー情報を追加入力するための追加入力画面を表示し、前記追加入力画面から入力された撮影オーダ情報を前記記憶部の撮影オーダー情報に追加するとともに前記通信ネットワークを介して前記制御装置に送信する医用画像撮影システムであることを特徴としている。
【００１０】
請求項１に記載の発明によれば、医用画像撮影システムは、撮影オーダ情報を読出し可能な状態で保持し、読出し命令に応じて当該撮影オーダ情報を外部に送信可能な制御装置と、この制御装置に通信ネットワークを介して接続可能な携帯情報端末と、を備えており、携帯情報端末は、撮影オーダー情報を取得して記憶部に記憶し、許可された医師識別情報が入力された際に、撮影オーダー情報を追加入力するための追加入力画面を表示し、追加入力画面から入力された撮影オーダ情報を記憶部の撮影オーダー情報に追加するとともに通信ネットワークを介して制御装置に送信する。
【００１１】
従って、回診によりＸ線撮影を行う際に、回診先において撮影オーダー情報の追加の必要が生じた際に、迅速に且つ効率良く撮影オーダー情報を追加することができる。また、許可された医師識別情報の入力がなければ撮影オーダー情報の追加入力画面が表示されないので、医師の許可なく撮影オーダー情報の追加を行うことを防止することができ、回診先においても医師の許可のない医療放射線技師法に反するＸ線撮影を防止することができる。
【００１２】
請求項２に記載の発明は、請求項１に記載の発明において、
撮影予約入力に基づいて撮影オーダー情報を生成して保存する情報管理装置を備え、前記制御装置は前記通信ネットワークを介して前記情報管理装置から前記撮影オーダー情報を読み出すように構成したことを特徴としている。
【００１３】
請求項２に記載の発明によれば、撮影予約入力に基づいて撮影オーダ情報を生成する情報管理装置を備え、制御装置は通信ネットワークを介して情報管理装置から撮影オーダ情報を読み出す。従って、撮影オーダー情報の入力を、外部の情報管理装置によって行うことができる。
【００１４】
請求項３に記載の発明は、請求項２に記載の発明において、
前記制御装置は、前記携帯情報端末から送信された追加の撮影オーダー情報を受信して、前記保持された撮影オーダー情報に対して追加するとともに前記通信ネットワークを介して前記情報管理装置に送信し、
前記情報管理装置は、前記制御装置から送信された追加の撮影オーダー情報を受信して、前記保存されている撮影オーダー情報に追加することを特徴としている。
【００１５】
請求項３に記載の発明によれば、制御装置は、携帯情報端末から送信された追加の撮影オーダー情報を受信して、制御装置に保持された撮影オーダー情報に対して追加するとともにネットワークを介して情報管理装置に送信する。情報管理装置は、制御装置から送信された追加の撮影オーダー情報を受信して保存されている撮影オーダー情報に追加する。従って、回診先において携帯情報端末から追加された撮影オーダー情報を、情報管理装置に対しても容易に且つ迅速に追加することができる。
【００１６】
請求項４に記載の発明は、請求項１に記載の発明において、
撮影予約入力に基づいて撮影オーダ情報を生成する情報管理装置を備え、前記携帯情報端末は、前記通信ネットワークを介して前記情報管理装置からも前記撮影オーダ情報を読出し可能に構成したことを特徴としている。
【００１７】
請求項４に記載の発明によれば、撮影予約入力に基づいて撮影オーダ情報を生成する情報管理装置を備え、携帯情報端末は、通信ネットワークを介して情報管理装置からも撮影オーダ情報を読出すことができる。従って、携帯情報端末は、制御装置を介することなく撮影オーダー情報を取得することができる。
【００１８】
請求項５に記載の発明は、請求項１〜４の何れか一項に記載の発明において、前記撮影オーダー情報に基づきカセッテを用いてＸ線撮影を行う移動可能なＸ線撮影装置を備え、
前記制御装置は、前記撮影オーダー情報の中から、カセッテを用いる撮影のオーダー情報を抽出する抽出手段を備え、この抽出された撮影オーダー情報を携帯情報端末に送信することを特徴としている。
【００１９】
請求項５に記載の発明によれば、制御装置は、撮影オーダー情報の中から、カセッテを用いる撮影のオーダー情報を抽出し、この抽出された撮影オーダー情報を携帯情報端末に送信する。従って、携帯情報端末にはカセッテを用いて撮影を行う撮影オーダー情報のみが送信されるので、携帯情報端末で扱うデータを回診先におけるＸ線撮影に必要な情報のみに限定することができ、携帯情報端末における処理を効率的に行うことができる。
【００２０】
請求項６に記載の発明は、
撮影オーダ情報を読出し可能な状態で保持し、読出し命令に応じて当該撮影オーダ情報を外部に送信可能な制御装置と通信ネットワークを介して接続可能な携帯情報端末であって、
前記制御装置から撮影オーダー情報を受信する受信部と、
前記受信された撮影オーダー情報を記憶する記憶部と、
医師識別情報を入力するための入力部と、
許可された医師識別情報が入力された際に、前記撮影オーダー情報を追加入力するための追加入力画面を表示する表示部と、
前記追加入力画面から入力された撮影オーダ情報を前記記憶部の撮影オーダー情報に追加する撮影オーダー情報追加処理部と、
前記追加入力画面から入力された撮影オーダー情報を前記制御装置に送信する送信部と、
を備えた携帯情報端末であることを特徴としている。
【００２１】
請求項６に記載の発明によれば、携帯情報端末は、撮影オーダ情報を読出し可能な状態で保持し、読出し命令に応じて当該撮影オーダ情報を外部に送信可能な制御装置と通信ネットワークを介して接続可能に構成され、制御装置から撮影オーダー情報を受信し、受信された撮影オーダー情報を記憶部に記憶し、許可された医師識別情報が入力された際に、撮影オーダー情報を追加入力するための追加入力画面を表示部に表示し、追加入力画面から入力された撮影オーダ情報を記憶部の撮影オーダー情報に追加するとともに前記制御装置に送信する。
【００２２】
従って、回診によりＸ線撮影を行う際に、回診先において撮影オーダー情報の追加の必要が生じた際に、迅速に且つ効率良く撮影オーダー情報を追加することが可能な携帯情報端末を提供することができる。また、この携帯情報端末によれば、許可された医師識別情報の入力がなければ撮影オーダー情報の追加入力画面が表示されないので、医師の許可なく撮影オーダー情報の追加を行うことを防止することができる。
【００２３】
【発明の実施の形態】
以下、図を参照して本発明に係る実施の形態を詳細に説明する。
まず、医用画像撮影システム１００の構成を説明する。
図１は、医用画像撮影システム１００の全体構成を示す図である。医用画像撮影システム１００は、コンピューテッドラジオグラフィー（ＣＲ）、または半導体検出器を利用したＦｌａｔ  Ｐａｎｅｌ  Ｄｅｔｅｃｔｏｒ（ＦＰＤ）を利用したシステムである。図１に示すように、医用画像撮影システム１００は、制御装置１、情報管理装置２、医用画像読取装置３、携帯情報端末（以下、ＰＤＡという）４、回診用Ｘ線装置５により構成されている。制御装置１、情報管理装置２、及びＰＤＡ（Ｐｅｒｓｏｎａｌ  Ｄｉｇｉｔａｌ  Ａｓｓｉｓｔａｎｃｅ）４はネットワークＮを介して相互にデータの送受信が可能なように接続され、更に制御装置１はケーブルＣを介して医用画像読取装置３と接続されている。なお、図１においては、制御装置１、情報管理装置２、医用画像読取装置３、ＰＤＡ４、回診用Ｘ線装置５が各々１台ずつ接続された例を示しているが、これらの装置の台数は特に限定されない。
【００２４】
制御装置１は、ケーブルＣを介して医用画像読取装置３に接続され、ネットワークＮを介して情報管理装置２、ＰＤＡ４に接続されている。制御装置１は、情報管理装置２から撮影オーダー情報を受信し、受信した撮影オーダー情報のうち、回診によりＸ線撮影を行う撮影オーダー情報を抽出し、ＰＤＡ４に送信する。また、ＰＤＡ４から追加された撮影オーダー情報を受信して撮影オーダー情報ファイル１７１を追加更新するとともに、更新した撮影オーダー情報に従って医用画像読取装置３を制御して挿入されたカセッテＡに蓄積された放射線画像情報の読み取りを行わせ、医用画像読取装置３から医用画像データを受信して画像処理、表示処理等を実行する。また、制御装置１は、追加された撮影オーダー情報を情報管理装置２へ送信する。
【００２５】
情報管理装置２は、病院情報システム（ＨＩＳ）または放射線科情報システム（ＲＩＳ）の受付端末であり、ＣＰＵ等により構成される制御部や記憶部、入力部、通信制御部等を備えて構成される。情報管理装置２は、入力された医用画像の撮影に関する撮影オーダー情報を撮影オーダー情報ＤＢ（Ｄａｔａ  Ｂａｓｅ）に記憶するとともに、入力された撮影オーダー情報をネットワークＮを介して制御装置１に送信する。撮影オーダー情報とは、医用画像撮影システム１００において医用画像の撮影を予約するための情報であり、例えば、撮影を受ける患者を特定するために一意的に割り当てられた識別コードである患者ＩＤ、患者氏名、年齢、病室、依頼科、依頼医師名、撮影条件、読取機種等が挙げられる。また、制御装置１から送信された撮影オーダー情報に基づいて撮影オーダー情報ＤＢを追加更新する。
【００２６】
医用画像読取装置３は、カセッテＡを使用するカセッテタイプの画像読取装置である。カセッテＡは、放射線エネルギーの一部を蓄積する輝尽性蛍光体シートを内蔵しており、病室等の回診先において回診用Ｘ線装置５とカセッテＡの間に被検体を配置して回診用Ｘ線装置５からカセッテＡ側に向けてＸ線を照射すると、Ｘ線による被検体の放射線画像情報が蓄積される。医用画像読取装置３は、このＸ線撮影に供されたカセッテＡが挿入されると、輝尽性蛍光体シートに励起光を照射し、これによりシートから発光される輝尽発光光を光電変換したのちＡ／Ｄ変換し、医用画像データとしてケーブルＣを介して制御装置１に送信する。
【００２７】
ＰＤＡ４は、ネットワークＮを介して制御装置１から回診によるＸ線撮影を行う撮影オーダー情報を受信し、患者ＩＤが入力されると、患者の撮影オーダー情報を検索して撮影条件を表示部４３（図４に図示）に表示する。また、ＰＤＡ４は撮影オーダー情報の追加を行うための撮影オーダー情報追加の画面を有しており、追加された撮影オーダー情報を制御装置１へ送信する。ＰＤＡ４は、携帯型通信端末であればよく、例えば携帯電話機、ＰＨＳ（Ｐｅｒｓｏｎａｌ  Ｈａｎｄｙｐｈｏｎｅ  Ｓｙｓｔｅｍ）、ノート型ＰＣ等がある。
【００２８】
回診用Ｘ線装置５は、移動可能なＸ線撮影装置であり、カセッテＡとの間に被検体を配置し、カセッテＡに向けてＸ線を照射することによりＸ線撮影を行う。
【００２９】
ネットワークＮは、専用線や既存の一般公衆回線を利用して構築された通信ネットワークであり、ＬＡＮやＷＡＮ等の様々な回線形態を適用することが可能である。ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。但し、情報管理の信頼性の観点から、特定のユーザのみがアクセス可能なセキュリティを確保しているネットワークであることが望ましい。各装置、端末間は有線接続であっても無線接続であってもよい。
【００３０】
次に、図を参照して制御装置１の構成及び動作を詳細に説明する。
まず、構成を説明する。
図２は、制御装置１の機能的構成を示すブロック図である。図２に示すように、制御装置１は、制御部１１、入力部１２、表示部１３、Ｉ／Ｆ１４、通信制御部１５、ＲＡＭ（Ｒａｎｄｏｍ  Ａｃｃｅｓｓ  Ｍｅｍｏｒｙ）１６、記憶部１７、画像処理部１８等により構成され、各部はバス１９により接続されている。
【００３１】
制御部１１は、ＣＰＵ（Ｃｅｎｔｒａｌ  Ｐｒｏｃｅｓｓｉｎｇ  Ｕｎｉｔ）等により構成され、記憶部１７に記憶されているシステムプログラムや各種制御プログラムを読み出し、ＲＡＭ１６に展開し、該制御プログラムに従って各部の動作を集中制御する。また、制御部１１はＲＡＭ１６に展開したプログラムに従って、後述する撮影オーダー情報送受信処理（図５参照）、撮影オーダー情報追加処理Ｂ（図８参照）を始めとする各種処理を実行し、その処理結果をＲＡＭ１６に一時記憶させるとともに、表示部１３に表示させる。
【００３２】
例えば、制御部１１は、ＰＤＡ４から撮影オーダー情報送信要求を受信すると、撮影オーダー情報ファイル１７１から「機種」が医用画像読取装置３である未撮影の撮影オーダー情報を抽出し、抽出された撮影オーダー情報をＰＤＡ４に送信する。
【００３３】
また、制御部１１は、ＰＤＡ４から追加の撮影オーダー情報を受信すると、受信した内容に基づいて撮影オーダー情報ファイル１７１を追加して更新し、受信した撮影オーダー情報を情報管理装置２へ転送する。
【００３４】
また、制御部１１は、更新された撮影オーダー情報に従って医用画像読取装置３を制御して、医用画像読取装置３に挿入されたカセッテＡに蓄積された放射線画像情報の読み取りを行わせ、医用画像読取装置３から医用画像データを受信して画像処理、表示処理等を実行する。
【００３５】
入力部１２は、カーソルキー、数字入力キー、及び各種機能キー等を備えたキーボードと、ポインティングデバイスであるマウス等を備えて構成され、キーボードで押下されたキーに対応する押下信号とマウスによる操作信号とを入力信号として制御部１１に出力する。また、別の態様では、入力部１２を、表示部１３の表示画面を覆う透明なシートパネルに指または専用のスタイラスペンで触れることにより入力される位置情報を入力信号として制御部１１に出力する、いわゆるタッチパネルにより構成されたものを用いることも可能である。
【００３６】
表示部１３は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等により構成され、制御部１１から入力される表示信号の指示に従って、入力部１２からの入力指示やデータ等を表示部１３に表示させる。
【００３７】
Ｉ／Ｆ１４は、制御装置１がケーブルＣを介して医用画像読取装置３と接続するためのインターフェイスである。
【００３８】
通信制御部１５は、モデム、ＬＡＮアダプタ、ルータ、ＴＡ（Ｔｅｒｍｉｎａｌ  Ａｄａｐｔｅｒ）等によって構成され、専用線、或いはＩＳＤＮ回線等の通信回線を介してネットワークＮに接続された各装置との通信制御を行う。
【００３９】
ＲＡＭ１６は、制御部１１により実行制御される各種処理において、記憶部１７から読み出された制御装置１上で実行可能なシステムプログラム、制御プログラム、入力若しくは出力データ、及びパラメータ等の一時的な格納領域を形成する。
【００４０】
記憶部１７は、ＨＤＤ（Ｈａｒｄ  Ｄｉｓｃ  Ｄｒｉｖｅ）等の不揮発性の半導体メモリにより構成され、制御装置１に対応するシステムプログラム、当該システムプログラムに対応する各種処理プログラム、及び処理結果等を記憶する。また、プログラムやデータが予め記憶された記録媒体（図示省略）を有しており、この記録媒体は、磁気的、光学的記録媒体、もしくは半導体メモリで構成された非揮発性メモリである。この記録媒体は、記憶部１７に固定的に、或いは着脱自在に装着するものである。各種プログラムは、読取可能なプログラムコードの形態で格納され、制御部１１は、当該プログラムコードに従った動作を逐次実行する。
【００４１】
本実施の形態において、記憶部１７は、内部に情報管理装置２から送信された撮影オーダー情報を記憶する撮影オーダー情報ファイル１７１と、医用画像読取装置３により読み取られた医用画像を格納する画像ＤＢ１７２を有している。
【００４２】
図３は、撮影オーダー情報ファイル１７１内のデータ格納例を示す図である。図３に示すように、撮影オーダー情報ファイル１７１は、撮影ＩＤ領域１７１ａと、患者ＩＤ領域１７１ｂと、患者氏名領域１７１ｃと、性別領域１７１ｄと、年齢領域１７１ｅと、病室領域１７１ｆと、依頼科領域１７１ｇと、撮影条件領域１７１ｈと、機種領域１７１ｉと、枚数領域１７１ｊと、により構成される。
【００４３】
撮影ＩＤ領域１７１ａは、撮影を特定するために一意的に割り当てられた識別コード（例えば、２００２０１０１００１、２００２０１０１００２、２００２０１０１００３、・・・）を「撮影ＩＤ」として格納する。患者ＩＤ領域１７１ｂは、撮影を受ける患者を特定するために一意的に割り当てられたコード（例えば、１０００００２、１０００００５、・・・）を「患者ＩＤ」として格納する。患者氏名領域１７１ｃは、撮影を受ける患者の名前を表すデータ（例えば、○○○○○、△△△△、・・・）を「患者氏名」として格納する。性別領域１７１ｄは、撮影を受ける患者の性別を表す文字列（例えば、男、女、・・・）を「性別」として格納する。年齢領域１７１ｅは、撮影を受ける患者の年齢を表すデータ（例えば、４０、５０、・・・）を「年齢」として格納する。
【００４４】
また、病室領域１７１ｆは、撮影を行う病室を表すデータ（例えば、１０１、２０５、・・・）を「病室」として格納する。依頼科領域１７１ｇは、撮影を依頼した科を表すデータ（例えば、外科、内科、・・・）を「依頼科」として格納する。撮影部位領域１７１ｈは、撮影部位、方向等の撮影条件を表すデータ（例えば、頭蓋骨Ａ→Ｐ、頭蓋骨Ｐ→Ａ、胸部Ｐ→Ａ、・・・）を「撮影条件」として格納する。機種領域１７１ｉは、読み取りを行う読み取り装置の機種を表すデータ（例えば、医用画像読取装置６、医用画像読取装置３、・・・）を「機種」として格納する。枚数領域１７１ｊは、撮影する枚数を表すデータ（例えば、３、３、４、・・・）を「枚数」として格納する。
【００４５】
画像処理部１８は、制御部１１からの指示入力に従って、医用画像データに周波数処理、階調処理、回転処理、拡大・縮小処理等の各種画像処理を施す。この他に、画像処理部１８は、所定の符号化方式で圧縮する圧縮処理や、圧縮された画像データを復号化して伸長する伸長処理を実行する。
【００４６】
次に、ＰＤＡ４の内部構成について説明する。
図４は、ＰＤＡ４の機能的構成を示すブロック図である。図４に示すように、ＰＤＡ４は、制御部４１、入力部４２、表示部４３、読取部４４、ＲＡＭ４５、記憶部４６、通信制御部４７等により構成され、各部はバス４８により接続されている。
【００４７】
制御部４１は、ＣＰＵ等により構成され、記憶部１７に記憶されているシステムプログラムや各種制御プログラムを読み出し、ＲＡＭ４５に展開し、該制御プログラムに従って各部の動作を集中制御する。また、制御部４１はＲＡＭ４５に展開したプログラムに従って後述する撮影オーダー情報送受信処理（図５参照）、撮影オーダー情報追加処理Ａ（図６参照）、撮影オーダー情報追加処理Ｂ（図８参照）を始めとする各種処理を実行し、その処理結果をＲＡＭ４５に一時記憶させるとともに、表示部４３に表示させる。
【００４８】
例えば、制御部４１は、通信制御部４７により制御装置１に撮影オーダー情報送信要求を送信し、制御装置１から送られた撮影オーダー情報を受信して記憶部４６に記憶する。また、制御部４１は、受信した撮影オーダー情報を表示部４３に撮影オーダー情報を表示させる。
【００４９】
また、制御部４１は、読取部４４を駆動制御して、医師のＩＤカード表面に表示されたバーコードの読み取りを実行させ、読み取ったバーコードを解析することにより医師の識別情報である医師ＩＤを取得して認証を行う。認証後、制御部４１は、撮影オーダー情報追加画面４３１、４３２を表示部４３に表示させ、追加事項が入力されると、記憶部４６に記憶されている撮影オーダー情報を入力された内容に基づいて追加して更新する。また、制御部４１は、更新された撮影オーダー情報を制御装置１に送信する。
【００５０】
入力部４２は、表示部４３の表示画面を覆う透明なシートパネルに指または専用のスタイラスペンで触れることにより入力される位置情報を入力信号として制御部４１に出力する、いわゆるタッチパネルにより構成されている。また、入力部４２は、電源ボタン、各種機能ボタン等を備えており、ボタン操作による操作信号を制御部４１に出力する。
【００５１】
表示部４３は、ＬＣＤ等により構成され、制御部４１から入力される表示信号の指示に従って、入力部４２からの入力指示やデータ等を表示させる。
【００５２】
読取部４４は、半導体レーザ、ＬＥＤ（発光ダイオード）等の発光体や撮像素子等を備えており、制御部４１による制御に従って発光素子を発光させて所定の面へ光を照射するとともに、照射方向の画像を撮像することによりバーコードの画像を撮影する。そして、読取部４４は、撮像素子により撮影した画像を制御部４１に出力する。
【００５３】
ＲＡＭ４５は、制御部４１により実行制御される各種処理において、記憶部４６から読み出された制御装置１上で実行可能なシステムプログラム、制御プログラム、入力若しくは出力データ、及びパラメータ等の一時的な格納領域を形成する。
【００５４】
記憶部４６は、フラッシュメモリ（Ｆｌａｓｈ  Ｍｅｍｏｒｙ）等の不揮発性の半導体メモリにより構成され、ＰＤＡ４に対応するシステムプログラム、当該システムプログラムに対応する各種処理プログラム、各種データ及び処理結果等を記憶する。これらの各種プログラムは、読取可能なプログラムコードの形態で格納され、制御部４１は、当該プログラムコードに従った動作を逐次実行する。
【００５５】
通信制御部４７は、モデム或いはターミナルアダプタ等によって構成されており、ネットワークＮに接続される通信事業者（図示せず）との無線通信を行うための通信制御を行う。
【００５６】
次に、動作について説明する。
図５は、医用画像撮影システム１００において、制御装置１とＰＤＡ４により実行される撮影オーダー情報送受信処理を示すフロー図である。以下、図５を参照して撮影オーダー情報送受信処理について説明する。
【００５７】
ＰＤＡ４の制御部４１は、通信制御部４７により制御装置１に接続要求を送信する（ステップＳ１）。制御装置１の制御部１１は、ＰＤＡ４からの接続要求を受信すると、ＰＤＡ４にＩＤ番号、パスワードの要求を送信する（ステップＳ２）。ここで、ＩＤ番号は、ＰＤＡ４の操作者が医師、放射線撮影技師や、その指示を受けたオペレータ等のＰＤＡ４と制御装置１との間のデータの送受信を許可された人物であるかを認証するため、これらの人物に一意的に割り当てられた識別コードである。通信制御部４７によりこれを受信すると、制御部４１は、表示部４３によりＩＤ番号及びパスワードの入力の指示を表示し（ステップＳ３）、ＩＤ番号及びパスワードが入力されると（ステップＳ４）、通信制御部４７を介して入力されたＩＤ番号及びパスワードを制御装置１に送信する（ステップＳ５）。制御部１１は、受信されたＩＤ番号及びパスワードに対して認証を行い（ステップＳ６）、ＰＤＡ４に接続完了通知を送信する（ステップＳ７）。なお、ステップＳ４で入力されたＩＤ番号及びパスワードが制御装置１へのアクセスを許可された人物のものではない場合、接続は断絶される。
【００５８】
制御装置１からの接続完了通知を受信すると、制御部４１は、通信制御部４７により制御装置１に撮影オーダー情報送信要求を送信する（ステップＳ８）。制御部１１は、ＰＤＡ４から撮影オーダー情報送信要求を受信すると、撮影オーダー情報ファイル１７１から回診によりこれから撮影を行う撮影オーダー情報、例えば、撮影オーダー情報の機種領域１７１ｉが医用画像読取装置３になっている撮影オーダー情報を抽出し（ステップＳ９）、抽出された撮影オーダー情報を通信制御部１５によりＰＤＡ４に送信する（ステップＳ１０）。
【００５９】
制御装置１から撮影オーダー情報を受信すると、制御部４１は、受信した撮影オーダー情報を記憶部４６に記憶させる（ステップＳ１１）。そして、制御部４１は、通信制御部４７により制御装置１に切断要求を送信し（ステップＳ１２）、制御部１１はこれを受信して通信を切断する（ステップＳ１３）。
【００６０】
上述した撮影オーダー情報送受信処理により、制御装置１からＰＤＡ４へ撮影オーダー情報が送信される。放射線技師等は、回診によるＸ線撮影時にこの撮影オーダー情報の記憶されたＰＤＡ４を携帯し、表示部４３に撮影オーダー情報を表示することにより、Ｘ線撮影を行う患者や、患者毎の撮影オーダー情報、撮影部位等の撮影条件の確認を行う。
【００６１】
図６は、ＰＤＡ４の制御部４１により実行される撮影オーダー情報追加処理Ａを示すフローチャートである。以下、図６を参照して撮影オーダー情報追加処理Ａについて説明する。
【００６２】
入力部４２により撮影オーダー情報の追加の指示が入力されると（ステップＳ２１）、制御部４１は、読取部４４を駆動させて医師のＩＤカード表面に表示されたバーコードの読み取りを実行させ（ステップＳ２２）、読み取ったバーコードを解析することによりバーコードが示す情報、即ち医師ＩＤを取得し（ステップＳ２３）、オーダー情報の追加が許可された医師ＩＤであると認証されると（ステップＳ２４；ＹＥＳ）、撮影オーダー情報の追加画面を表示部４３に表示させる（ステップＳ２５）。撮影オーダー情報の追加画面から追加事項が入力されると（ステップＳ２６）、制御部４１は、追加された撮影オーダー情報を一時的にＲＡＭ４５に記憶するとともに、記憶部４６に記憶されている撮影オーダー情報に入力された撮影オーダー情報を追加して更新する（ステップＳ２７）。ステップＳ２４で入力されたＩＤが認証されない場合は（ステップＳ２４；ＮＯ）、追加入力できないことを表示部４３に表示させ、ステップＳ２２に戻る。
【００６３】
ステップＳ２４における認証は、撮影オーダー情報の追加に対して医師の承諾があることを証明するために行うものであり、上述した医師のＩＤカードのバーコードを読み取ることによる認証の他、ＩＤカードに医師ＩＤが書き込まれた接触式或いは非接触式のＩＣを内蔵させ、ＰＤＡ４との間で医師ＩＤの送受信を行うことにより認証するようにしてもよい。また、よりセキュリティを強化するため、操作者の指紋／網膜等身体的特徴をセンサで読み取り、その真偽により認証を行うようにしてもよい。
【００６４】
図７（ａ）は、図６のステップＳ２５で表示される撮影オーダー情報追加画面４３１の一例を示す図である。図７（ａ）に示すように、撮影オーダー情報追加画面４３１には、患者ＩＤを入力するための患者ＩＤ入力領域４３１ａ、撮影オーダー情報の追加を実行するための追加ボタン４３１ｂが表示されている。患者ＩＤが入力され、追加ボタン４３１ｂが押下されると、図７（ｃ）に示す撮影条件追加入力画面４３２に移行する。
【００６５】
図７（ｂ）は、撮影条件の追加を入力するための撮影条件追加入力画面４３２の一例を示す図である。図７（ｂ）に示すように、撮影条件追加入力画面４３２の画面上部には、患者名が表示されている。これにより、医師は撮影オーダー情報の追加を行う患者を確認することができる。画面中央部には、撮影部位及び方向からなる撮影条件を示すボタンが表示されており、ボタンが選択されて押下されると、入力された撮影条件が画面下部の表示領域に表示される。撮影条件が表示された状態でＯＫボタンが押下されると、画面上部に表示された患者に対して、入力された撮影条件の撮影オーダー情報が追加される。
【００６６】
次に、ＰＤＡ４から追加した撮影オーダー情報を制御装置１、情報管理装置２に追加する撮影オーダー情報追加処理Ｂについて図８のフロー図を参照して説明する。
【００６７】
ＰＤＡ４の制御部４１は、通信制御部４７により制御装置１に接続要求を送信する（ステップＳ３１）。制御装置１の制御部１１は、ＰＤＡ４からの接続要求を受信すると、ＰＤＡ４にＩＤ番号、パスワードの要求を送信する（ステップＳ３２）。ここで、ＩＤ番号は、ＰＤＡ４の操作者が医師、放射線撮影技師や、その指示を受けたオペレータ等のＰＤＡ４と制御装置１との間のデータの送受信を許可された人物であるかを認証するため、これらの人物に一意的に割り当てられた識別コードである。通信制御部４７によりこれを受信すると、制御部４１は、表示部４３によりＩＤ番号及びパスワードの入力の指示を表示し（ステップＳ３３）、ＩＤ番号及びパスワードが入力されると（ステップＳ３４）、通信制御部４７を介して入力されたＩＤ番号及びパスワードを制御装置１に送信する（ステップＳ３５）。制御部１１は、入力されたＩＤ番号及びパスワードに対して認証を行い（ステップＳ３６）、ＰＤＡ４に接続完了通知を送信する（ステップＳ３７）。なお、ステップＳ３４で入力されたＩＤ番号及びパスワードが制御装置１へのアクセスを許可された人物のものではない場合、接続は断絶される。
【００６８】
制御装置１からの接続完了通知を受信すると、制御部４１は、通信制御部４７により追加された撮影オーダー情報を制御装置１に送信する（ステップＳ３８）。制御部１１は、ＰＤＡ４から撮影オーダー情報を受信すると、受信完了通知を制御装置１に送信し（ステップＳ３９）、受信した撮影オーダー情報を撮影オーダー情報ファイル１７１に追加して更新するとともに（ステップＳ４０）、情報管理装置２に接続要求を行う（ステップＳ４１）。制御部４１は、制御装置１からの受信完了通知を受信することにより通信を切断する。情報管理装置２の制御部は、制御装置１に接続確認応答を送信する（ステップＳ４３）。制御部１１はこれを受信すると、ＰＤＡ４から受信した撮影オーダー情報を情報管理装置２に転送する（ステップＳ４４）。情報管理装置２は、受信した撮影オーダー情報を追加して撮影オーダー情報ＤＢを更新し（ステップＳ４５）、制御装置１に更新終了通知を送信する（ステップＳ４６）。更新終了通知を受信すると、制御部１１は、情報管理装置２との通信を切断する。
【００６９】
なお、ＰＤＡ４は、１件の撮影オーダー情報が追加された時点で撮影オーダー情報更新処理を実行することにより撮影オーダー情報を制御装置１に送信するようにしてもよいし、まとめて送信するようにしてもよい。
【００７０】
以上説明したように、医用画像撮影システム１００によれば、制御装置１は、ＰＤＡ４から撮影オーダー情報送信要求を受信すると、撮影オーダー情報ファイル１７１に記憶されている撮影オーダー情報のうち回診によるＸ線撮影を行う撮影オーダー情報を抽出し、ＰＤＡ４に送信する。ＰＤＡ４は、入力部４２から撮影オーダー情報の追加の指示があると、読取部４４により医師のＩＤカードのバーコードを読み取って認証を行った後、表示部４３に撮影オーダー情報の追加画面を表示する。撮影オーダー情報の追加が入力されると、ＰＤＡ４は、記憶部４６に入力された撮影オーダー情報を追加して更新し、追加された撮影オーダー情報を制御装置１に送信する。制御装置１は、撮影オーダー情報ファイル１７１に受信した撮影オーダー情報を追加して更新するとともに、受信した撮影オーダー情報を情報管理装置２に転送する。情報管理装置２は、受信した撮影オーダー情報を撮影オーダー情報ＤＢに追加して更新する。
【００７１】
従って、回診先で撮影オーダー情報の確認を行うことができるとともに、回診先で撮影オーダー情報の追加の必要が生じた際に、迅速に効率良く撮影オーダー情報を追加することができる。また、撮影オーダー情報の追加には医師本人であるかの認証が行われるので、医師の許可なく追加を行うことを防止することができる。また、各装置の撮影オーダー情報の内容を整合させることができる。
【００７２】
なお、上記実施の形態における記述内容は、本発明における好適な一例であり、これに限定されるものではない。
【００７３】
例えば、上記実施の形態においては、医用画像システム１００は、ＣＲ装置またはＦＰＤを利用したシステムとして説明したが、本発明は、ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置、超音波診断装置等を用いた医用画像撮影システムにおいても適用することができる。
【００７４】
また、ＰＤＡ４は、制御装置１から撮影オーダー情報を受信する構成としたが、情報管理装置２から直接撮影オーダー情報を受信する構成としてもよい。
【００７５】
その他、医用画像撮影システム１００及び医用画像撮影システム１００を構成する各装置の細部構成及び細部動作に関しても、本発明の趣旨を逸脱することのない範囲で適宜変更可能である。
【００７６】
【発明の効果】
請求項１に記載の発明によれば、回診によりＸ線撮影を行う際に、回診先において撮影オーダー情報の追加の必要が生じた際に、迅速に且つ効率良く撮影オーダー情報を追加することができる。また、許可された医師識別情報の入力がなければ撮影オーダー情報の追加入力画面が表示されないので、医師の許可なく撮影オーダー情報の追加を行うことを防止することができ、回診先においても医師の許可のない医療放射線技師法に反するＸ線撮影を防止することができる。
【００７７】
請求項２に記載の発明によれば、撮影予約入力に基づいて撮影オーダ情報を生成する情報管理装置を備え、制御装置は通信ネットワークを介して情報管理装置から撮影オーダ情報を読み出す。従って、撮影オーダー情報の入力を、外部の情報管理装置によって行うことができる。
【００７８】
請求項３に記載の発明によれば、制御装置は、携帯情報端末から送信された追加の撮影オーダー情報を受信して、制御装置に保持された撮影  オーダー情報に対して追加するとともにネットワークを介して情報管理装置に送信する。情報管理装置は、制御装置から送信された追加の撮影オーダー情報を受信して保存されている撮影オーダー情報に追加する。従って、回診先において携帯情報端末から追加された撮影オーダー情報を、情報管理装置に対しても容易に且つ迅速に追加することができる。
【００７９】
請求項４に記載の発明によれば、撮影予約入力に基づいて撮影オーダ情報を生成する情報管理装置を備え、携帯情報端末は、通信ネットワークを介して情報管理装置からも撮影オーダ情報を読出すことができる。従って、携帯情報端末は、制御装置を介することなく撮影オーダー情報を取得することができる。
【００８０】
請求項５に記載の発明によれば、制御装置は、撮影オーダー情報の中から、カセッテを用いる撮影のオーダー情報を抽出し、この抽出された撮影オーダー情報を携帯情報端末に送信する。従って、携帯情報端末にはカセッテを用いて撮影を行う撮影オーダー情報のみが送信されるので、携帯情報端末で扱うデータを回診先におけるＸ線撮影に必要な情報のみに限定することができ、携帯情報端末における処理を効率的に行うことができる。
【００８１】
請求項６に記載の発明によれば、回診によりＸ線撮影を行う際に、回診先において撮影オーダー情報の追加の必要が生じた際に、迅速に且つ効率良く撮影オーダー情報を追加することが可能な携帯情報端末を提供することができる。また、この携帯情報端末によれば、許可された医師識別情報の入力がなければ撮影オーダー情報の追加入力画面が表示されないので、医師の許可なく撮影オーダー情報の追加を行うことを防止することができる。
【図面の簡単な説明】
【図１】本発明に係る医用画像撮影システム１００の全体構成を概念的に示す図である。
【図２】図１の制御装置１の機能的構成を示すブロック図である。
【図３】図２の記憶部１７に記憶されている撮影オーダー情報ファイル１７１内部のデータ格納例を示す図である。
【図４】図１のＰＤＡ４の機能的構成を示すブロック図である。
【図５】図１の制御装置１とＰＤＡ４により実行される撮影オーダー情報送受信処理を示すフロー図である。
【図６】図４の制御部４１により実行される撮影オーダー情報追加処理Ａを示すフローチャートである。
【図７】撮影オーダー情報追加画面４３１、撮影条件追加入力画面４３２の一例を示す図である。
【図８】図１のＰＤＡ４から追加した撮影オーダー情報を制御装置１、情報管理装置２に追加する更新する撮影オーダー情報追加処理Ｂを示すフローチャートである。
【符号の説明】
１  制御装置
２  情報管理装置
３  医用画像読取装置
４  ＰＤＡ
１１  制御部
１２  入力部
１３  表示部
１４  Ｉ／Ｆ
１５  通信制御部
１６  ＲＡＭ
１７  記憶部
１７１  撮影オーダー情報ファイル
１７２  画像ＤＢ
１８  画像処理部
１９  バス
４１  制御部
４２  入力部
４３  表示部
４４  読取部
４５  ＲＡＭ
４６  記憶部
４７  通信制御部
４８  バス
１００  医用画像撮影システム
Ａ  カセッテ
Ｃ  ケーブル
Ｎ  ネットワーク
【図１】
2004152065.tif 000003
【図２】
2004152065.tif 000004
【図３】
2004152065.tif 000005
【図４】
2004152065.tif 000006
【図５】
2004152065.tif 000007
【図６】
2004152065.tif 000008
【図７】
2004152065.tif 000009
【図８】
2004152065.tif 000010